(57)【要約】【課題】ウェブのしわを引き伸ばす際の傷や損傷の発生を抑制でき、裏面に塗液を塗布する工程があってもしわ伸ばし処理を行うことができる。【解決手段】ウェブに接触させられてウェブの搬送に伴って回転させられるほぼ円筒状のローター２と、ローター２がその外側にほぼ密着状態でかつ回転自在に外挿されるほぼ円柱状のローター支持体３とを備え、ローター２には、その径方向に貫通しウェブに負圧を作用させるための貫通孔２ａが周方向、軸方向に複数形成され、ローター支持体３には、ローター２の一部の貫通孔に臨んで開口する負圧作用口３ｂと、前記一部の貫通孔から周方向に離間した位置の他の貫通孔を臨んで開口する負圧導入口３ｃとを有する負圧導入通路３ｄが形成され、負圧導入通路３ｄの負圧導入口側には、ローターの貫通孔を介して負圧導入通路に連通する負圧室が配置されている。【選択図】図３
2014005125.tif 000002
【特許請求の範囲】
【請求項１】
ウェブの幅方向両端部であって片面側に配置されウェブを負圧により吸引して引張力を作用させてウェブに生じたしわを引き伸ばすウェブのしわ伸ばし装置であって、前記ウェブに接触させられてウェブの搬送に伴って回転させられる円筒状のローターと、当該ローターがその外側にほぼ密着状態でかつ回転自在に外挿される円柱状のローター支持体とを備え、前記ローターには、その径方向に貫通しウェブに負圧を作用させるための貫通孔が周方向、軸方向に複数形成され、前記ローター支持体には、前記ローターの一部の貫通孔に臨んで開口する負圧作用口と、前記一部の貫通孔から周方向に離間した位置の他の貫通孔を臨んで開口する負圧導入口とを有する負圧導入通路が形成され、前記負圧導入通路の負圧導入口側には、前記ローターの貫通孔を介して負圧導入通路に連通する負圧室が配置されていることを特徴とするウェブのしわ伸ばし装置。
【請求項２】
前記ローター支持体に形成された負圧導入通路における負圧導入口のローター支持体の周方向の開口幅が、負圧作用口のローター支持体の周方向の開口幅よりも、大きく形成されていること特徴とする請求項１記載のウェブのしわ伸ばし装置。
【請求項３】
請求項１または２に記載のしわ伸ばし装置を用いることを特徴としたウェブのしわ伸ばし方法。
【発明の詳細な説明】
【技術分野】
【０００１】
本発明は、ウェブの幅方向両端部にウェブに接触させて配置され、ウェブに引張力作用させてウェブに生じたしわを引き伸ばすウェブのしわ伸ばし装置に関する。
【背景技術】
【０００２】
従来のウェブのしわ伸ばし装置（以下、特別の場合を除き、単にしわ伸ばし装置という。）としては、特許文献１や特許文献２に示すようなものがある。
【０００３】
特許文献１に記載されているしわ伸ばし装置は、ウェブを吸引口４から負圧により吸引しつつ複数のローラー１１をウェブに接触させてウェブの搬送に伴って回転させることによりウェブに引張力を作用させてウェブに生じたしわを引き伸ばして矯正を図るものである。
【０００４】
特許文献２に記載されているしわ伸ばし装置は、ウェブの搬送方向に角度をもってウェブの両端部に配置された３本のローラー１３，１４，１５からなるクロスガイダーによりウェブを挟み込みウェブに引張力を作用させてウェブに生じたしわを伸ばして矯正を図るものである。
【０００５】
特許文献３に記載した装置は、しわ伸ばし装置ではないが、フィルム（ウェブ）の搬送中にフィルム（ウェブ）の裏面に塗液を塗布する塗布ローラー１を設けて、塗液の塗布を図るものである。
【先行技術文献】
【特許文献】
【０００６】
【特許文献１】特開２００８−８１２７４号公報
【特許文献２】特開２００９−２３４７１３号公報
【特許文献３】特開２００４−１７４４１１号公報
【発明の概要】
【発明が解決しようとする課題】
【０００７】
特許文献１に記載したしわ伸ばし装置では、負圧を作用させてウェブを吸引する際に、ウェブがローラー１１を支持するフレームなどの構造体に接触することがあり、ウェブに傷を発生させたりウェブを損傷させたりするなどのトラブルが生ずることがあった。
【０００８】
特許文献２に記載したしわ伸ばし装置では、負圧を作用させるものではないので、特許文献１のような負圧によるウェブのフレームなどに接触する心配はないが、３本のローラー１３，１４，１５にウェブを接触させるので、ウェブとの接触面積が増大し、ひっかき傷の発生などが避けられないものであった。また、特許文献３に記載したようなウェブ（ウェブ）などに搬送途中で裏面に塗液を塗布するものでは、特許文献２のような３本のローラのうち１本又は２本が裏面に配置されたものでは塗液がローラーに付着してしまうので採用することができない。
【０００９】
本発明は、かかる事情に鑑みてなされたもので、ウェブのしわを引き伸ばして矯正する際に、ウェブがフレームなどの構造体やローラーに過度に接触することを抑制して傷や損傷の発生を抑制でき、裏面に塗液を塗布するなどのような加工を施すウェブの製造装置であってもしわ伸ばし処理を行うことができるウェブのしわ伸ばし装置を提供することにある。
【課題を解決するための手段】
【００１０】
上記課題を解決するために、本発明では、以下のような手段を採用した。
（１）本発明のウェブのしわ伸ばし装置は、ウェブの幅方向両端部であって片面側に配置されウェブを負圧により吸引して引張力を作用させてウェブに生じたしわを引き伸ばすウェブのしわ伸ばし装置であって、前記ウェブに接触させられてウェブの搬送に伴って回転させられるほぼ円筒状のローターと、当該ローターがその外側にほぼ密着状態でかつ回転自在に外挿されるほぼ円柱状のローター支持体とを備え、前記ローターには、その径方向に貫通しウェブに負圧を作用させるための貫通孔が周方向、軸方向に複数形成され、前記ローター支持体には、前記ローターの一部の貫通孔に臨んで開口する負圧作用口と、前記一部の貫通孔から周方向に離間した位置の他の貫通孔を臨んで開口する負圧導入口とを有する負圧導入通路が形成され、前記負圧導入通路の負圧導入口側には、前記ローターの貫通孔を介して負圧導入通路に連通する負圧室が配置されていることを特徴とする。
（２）本発明のウェブのしわ伸ばし装置は、前記ローター支持体に形成された負圧導入通路における負圧導入口のローター支持体の周方向の開口幅が、負圧作用口のローター支持体の周方向の開口幅よりも、大きく形成されていること特徴とする。
【発明の効果】
【００１１】
本発明のウェブのしわ伸ばし装置によれば、以下のような効果を奏する。
（１）負圧室の負圧がローターの貫通孔を介して負圧導入通路の負圧導入口から負圧導入通路に導かれ、負圧導入通路の負圧作用口に臨む貫通孔から外側に作用させられ、当該貫通孔に近接させられたウェブが吸着させられ、ウェブの搬送によりローターがローター支持体の外面で回転させられる。この回転により、ウェブには引張力が作用させられウェブに生じたしわを伸ばして矯正することができる。
（２）ローターの回転によって貫通孔が負圧室と負圧導入通路の負圧導入口との間に位置するので、負圧室との連通が順次切り換わり、負圧が途切れることが無く負圧導入通路に導入され、ウェブに臨む貫通孔がウェブと負圧導入通路の負圧作用口との間に位置するので、負圧導入通路との連通が順次切り換わり、ウェブへの負圧が途切れることがなく、ウェブに作用する。
（３）負圧によるウェブの吸引は、ローターの軸線方向に配置された極幅狭の貫通孔群により行われるので、吸引によりウェブがフレームなどの構造体に接触することはなく、傷や損傷が発生することがない。
（４）負圧導入口の開口幅が負圧作用口の開口幅よりも大きくなっているので、負圧の導入を大きくして、幅狭の負圧作用口から集中して作用させることができ、ウェブの吸引を効果的に行い、しわ伸ばしを効果的に行うことができる。
【図面の簡単な説明】
【００１２】
【図１】本発明の一実施例のしわ伸ばし装置をウェブ搬送路に配置した状態を示す平面図である。
【図２】図1に示すしわ伸ばし装置の横断面を示す断面図（図３中のＢ−Ｂ断面）である。
【図３】図２に示すしわ伸ばし装置の図中Ａ−Ａ断面図である。
【図４】図２に示すしわ伸ばし装置の構成部品であるローターの外観の一部を示す拡大図である。
【図５】図２のしわ伸ばし装置の構成部品であるローター支持体を示す正面図である。
【図６】図５のローター支持体における図中Ｃ−Ｃ断面図である。
【図７】図５のローター支持体における図中Ｄ矢視図である。
【図８】図５のローター支持体における図中Ｅ矢視図である。
【発明を実施するための形態】
【００１３】
以下に、本発明の実施の一形態に係るウェブのしわ伸ばし装置について説明する。
【００１４】
本実施の一形態に係るしわ伸ばし装置１は、図１に示すように、幅広のウェブ（極薄のフィルム体）を搬送して途中で各種の処理を施して最終的にロール状に巻き取る製造工程に配置されるものであり、ウェブＷの幅方向両端部に配置されウェブＷを負圧により吸引してウェブＷの搬送に伴ってウェブＷに引張力を作用させてウェブＷに生じたしわを引き伸ばして矯正を施すものである。
【００１５】
図１において、ウェブＷは、図中白抜き矢印の方向に搬送され、しわ伸ばし装置１は、後述するように、多数の貫通孔２ａが形成された円筒状のローター２を備えており、ローター２の軸線方向がウェブＷの搬送方向に対して角度を持って交差するように、ウェブＷの両側縁部付近に、ローター２の外表面がウェブＷに接触するように配置されている。なお、このしわ伸ばし装置１は、ウェブの上側、下側のいずれに配置しても構わない。
【００１６】
図２に示すように、しわ伸ばし装置１は、ウェブＷに接触させられてウェブＷの搬送に伴って回転させられる前述したほぼ円筒状のローター２と、当該ローター２がその外側にほぼ密着状態でかつ回転自在に外挿されるほぼ円柱状のローター支持体３とを備えて概略構成される。
【００１７】
前記ローター支持体３の両端部には軸部３ａが形成され、当該軸部３ａはフレーム４に軸支され、止めねじなどにより回転できないようにフレーム４に固定されている。フレーム４の下部には、図示しない負圧源に接続される負圧室５が一体に形成されている。
【００１８】
前記ローター２には、その径方向に貫通する貫通孔２ａが、図４に示すように、周方向、軸方向に複数形成され、当該貫通孔２ａによりウェブＷに負圧を作用させられるようになっている。なお、当該貫通孔２ａの大きさは、直径１ｍｍから直径５ｍｍが好ましく、貫通する角度は、ウェブとローター２の接点と負圧作用口３ｂが通ずれば良い。ローター２の両端部には端板２ｂがねじ止めされて固定されている。端板２ｂは中心部に円形の取付孔が形成されており、当該取付孔はベアリングを介してローター支持体３の軸部３ａに挿入され、ローター２がフレーム４に固定されたローター支持体３の軸部３ａを中心として回転自在となっている。
【００１９】
ローター支持体３の形状を図５，図６，図７，図８に示す。ローター支持体３には、図５，図６，図７に示すように、負圧導入通路３ｄが形成されており、当該負圧導入通路３ｄは図３に示すようにローター２の一部の貫通孔に臨んで開口する負圧作用口３ｂと、前記一部の貫通孔から周方向に離間した他の貫通孔を臨んで開口する負圧導入口３ｃとを有し、図６，図７に示すようにローター支持体３の外周面に沿って、負圧作用口３ｂと負圧導入口３ｃとがその間に開口のない円弧面部を挟んで配置されている。負圧作用口３ｂのローター支持体３の周方向に沿った開口幅は、負圧導入口３ｃのローター支持体３の周方向に沿った開口幅よりも小さく形成されており、負圧作用口３ｂの開口幅はローター支持体３の中心角５度から３０度が好ましい。
【００２０】
前記負圧導入通路３ｄは、負圧導入口３ｃ、ローター２の貫通孔２ａを介して負圧源に接続されている負圧室５が接続されている。
【００２１】
ローター２やローター支持体３、フレーム４の材質については種々の工業材料を用いることが出来るが、特にローター２についてはウェブＷに接触させられてウェブＷの搬送に伴って回転させられる必要があるため、軽量かつ耐摩耗性に優れた材質が要求され、例えばアルミニウムやその表面にアルマイト処理を施したものを用いることが出来る。
【００２２】
次に、本発明の実施の一形態に係るしわ伸ばし装置１の作用について説明する。
【００２３】
図３に示すように、図示しない負圧源に接続された負圧室５はローター２の貫通孔２ａを介して負圧導入口３ｃに連通しており、負圧導入口３ｃは負圧導入通路３ｄから負圧作用口３ｂに連通している。従って、負圧作用口３ｂに望んだ貫通孔２ａを介して負圧が外部に作用し、当該貫通孔２ａに近接させられたウェブＷが負圧により吸引される。
【００２４】
ウェブＷは一定方向に搬送させられているので、ウェブＷを吸引したローター２には周方向に荷重が負荷され、ローター２はローター支持体３の外周面に沿って回転させられ、ウェブＷに引張力が作用させられ、しわの矯正が行われる。回転に伴って負圧導入通路３ｄの負圧作用口３ｂに臨む貫通孔２ａが順次切り換えられるとともに、負圧導入通路３ｄに臨む貫通孔２ａが順次切り換えられるので、負圧室の負圧が途切れることなく、負圧導入通路３ｄ内に導かれ、ローター２の貫通孔２ａから途切れることなくウェブＷを吸引することができ、途切れることなくローター２を回転させてウェブＷのしわ伸ばし作用をウェブＷに作用させることができる。
【００２５】
負圧によるウェブＷの吸引は、ローター２の軸線方向に配置された負圧作用口３ｂに通ずる貫通孔群により行われるので、吸引によりウェブＷがフレームなどの構造体に接触することは少なく、傷や損傷が発生することが少ない。
【００２６】
負圧導入口３ｃの開口幅が負圧作用口３ｂの開口幅よりも大きくなっているので、負圧の導入を大きくするとともに、幅狭の負圧作用口２ｂから集中してウェブＷに作用させることができ、ウェブＷの吸引を効果的に行い、しわ伸ばしを効果的に行うことができる。
【符号の説明】
【００２７】
１    しわ伸ばし装置
２    ローター
２ａ  貫通孔
２ｂ  端板
３    ローター支持体
３ａ  軸部
３ｂ  負圧作用口
３ｃ  負圧導入口
３ｄ  負圧導入通路
４    フレーム
５    負圧室
【図１】
2014005125.tif 000003
【図２】
2014005125.tif 000004
【図３】
2014005125.tif 000005
【図４】
2014005125.tif 000006
【図５】
2014005125.tif 000007
【図６】
2014005125.tif 000008
【図７】
2014005125.tif 000009
【図８】
2014005125.tif 000010